(57)【特許請求の範囲】
【請求項１】
ロール媒体の幅方向に延設されたガイド部と、
該ガイド部に案内されて前記幅方向へ摺動可能であり、ロール媒体を繰り出し可能に保持するホルダー部と、を備え、
該ホルダー部は、
前記ガイド部に対して摺動可能なベース部と、
該ベース部に対して前記幅方向へ移動可能でありロール媒体のロール芯の芯口に嵌る嵌合部と、
一端側が前記嵌合部と接触し、前記幅方向におけるロール媒体側へ前記嵌合部を付勢する弾性体と、
該弾性体の他端側と接触し、前記ベース部に対して前記幅方向へ移動可能な移動部材と、を備えており、
前記弾性体の前記一端と他端との位置関係が変わることにより、前記嵌合部を前記ロール媒体側へ付勢する力の大きさが変わる構成であり、
前記嵌合部と前記移動部材との前記幅方向における位置関係が変わることにより、前記付勢する力の大きさが所定の大きさになった際、前記嵌合部の一部が、前記移動部材の一部と揃うことを特徴とするロール媒体ホルダー装置。
【請求項２】
請求項１に記載のロール媒体ホルダー装置において、回転可能なハンドルと、
該ハンドルの回転により前記移動部材を前記幅方向へ移動させるねじ機構と、を備えていることを特徴とするロール媒体ホルダー装置。
【請求項３】
請求項１又は２に記載のロール媒体ホルダー装置において、前記ホルダー部が保持可能な高さにロール媒体を持ち上げることができる持ち上げ手段を有することを特徴とするロール媒体ホルダー装置。
【請求項４】
ロール状のロール媒体を送り方向下流側へ繰り出し可能な繰り出し手段と、
繰り出されたロール媒体に対して記録する記録部と、
記録されたロール媒体を巻き取る巻き取り手段と、を備えた記録装置であって、
前記繰り出し手段は、請求項１から３のいずれか１項に記載のロール媒体ホルダー装置を有していることを特徴とする記録装置。
【発明の詳細な説明】
【技術分野】
【０００１】
本発明は、ロール媒体を保持するロール媒体ホルダー装置および該ロール媒体ホルダー装置を有する記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、記録装置は、ロール状のロール紙を保持するホルダー装置を備えていた。該ホルダー装置は、ロール紙の両側に一対のホルダーを有していた。そして、一対のホルダーのうち少なくとも一方が、ロール紙の幅方向に延設されたガイド部に沿ってスライド可能に設けられていた。従って、ロール紙のサイズに応じて、少なくとも一方のホルダーをスライドさせることにより、一対のホルダーが、ロール紙の両側に嵌りロール紙を保持することができた。
【先行技術文献】
【特許文献】
【０００３】
【特許文献１】特開２００９−２３４６６８号公報
【発明の概要】
【発明が解決しようとする課題】
【０００４】
しかしながら、前記一対のホルダーをロール紙のロール芯の芯口に嵌める際の圧力が十分な大きさであるか否かの判断が、ユーザーにとって困難であった。ロール紙の重量が重い程、前記圧力を大きくする必要がある。また、ロール紙の両側に嵌る部分の形状によっても必要な前記圧力の大きさが異なる。前記圧力が適切な大きさでない場合は、ロール紙が落下する虞や、ロール紙の端部等が破損する虞がある。
【０００５】
本発明は、このような状況に鑑み成されたものであり、その課題は、ロール媒体のロール芯の芯口に嵌合部を嵌めて適切に保持することを考慮したロール媒体ホルダー装置およびロール媒体ホルダー装置を有する記録装置を提供することである。
【課題を解決するための手段】
【０００６】
上記課題を達成するため、本発明の第１の態様のロール媒体ホルダー装置は、ロール媒体の幅方向に延設されたガイド部と、該ガイド部に案内されて前記幅方向へ摺動可能であり、ロール媒体を繰り出し可能に保持するホルダー部と、を備え、該ホルダー部は、前記ガイド部に対して摺動可能なベース部と、該ベース部に対して前記幅方向へ移動可能でありロール媒体のロール芯の芯口に嵌る嵌合部と、一端側が前記嵌合部と接触し、前記幅方向におけるロール媒体側へ前記嵌合部を前記ベース部に対して付勢する弾性体と、を備えており、前記弾性体の前記一端と他端との位置関係が変わることにより、前記嵌合部を前記ロール媒体側へ付勢する力の大きさが変わる構成であり、前記弾性体の前記一端と他端との位置関係が変わることにより、前記付勢する力の大きさが所定の大きさになったことを示す目印があることを特徴とする。
【０００７】
本態様によれば、前記ロール媒体ホルダー装置は、前記所定の大きさでロール媒体を両側から圧力をかけて保持することができる。つまり、ユーザーは、前記目印によって前記付勢する力の大きさが前記所定の大きさか否かを、目印を有さない構成と比較して、容易に確認することができる。比較的重量が大きいロール媒体である場合、前記ロール媒体ホルダー装置がロール媒体をきちんと保持するためには、比較的大きな付勢力を必要とするので、有効である。  
尚、前記所定の大きさは、ロール媒体の重量と圧入される嵌合部の形状とによって決まる。
【０００８】
本発明の第２の態様のロール媒体ホルダー装置は、ロール媒体の幅方向に延設されたガイド部と、該ガイド部に案内されて前記幅方向へ摺動可能であり、ロール媒体を繰り出し可能に保持するホルダー部と、を備え、該ホルダー部は、前記ガイド部に対して摺動可能なベース部と、該ベース部に対して前記幅方向へ移動可能でありロール媒体のロール芯の芯口に嵌る嵌合部と、一端側が前記嵌合部と接触し、前記幅方向におけるロール媒体側へ前記嵌合部を付勢する弾性体と、該弾性体の他端側と接触し、前記ベース部に対して前記幅方向へ移動可能な移動部材と、を備えており、前記弾性体の前記一端と他端との位置関係が変わることにより、前記嵌合部を前記ロール媒体側へ付勢する力の大きさが変わる構成であり、前記嵌合部と前記移動部材との前記幅方向における位置関係が変わることにより、前記付勢する力の大きさが所定の大きさになった際、前記嵌合部の一部が、前記移動部材の一部と揃うことを特徴とする。
【０００９】
本態様によれば、ユーザーは、前記嵌合部と前記移動部材との前記幅方向における位置関係を変えることにより、前記付勢する力の大きさを前記所定の大きさにすることができる。その際、前記嵌合部の一部が、前記移動部材の一部と揃うことにより、前記付勢する力の大きさが前記所定の大きさになったことを確認することができる。つまり、ユーザーは、前記付勢する力の大きさが前記所定の大きさか否かを、前記嵌合部の一部と前記移動部材の一部とが揃わない構成と比較して、容易に確認することができる。
【００１０】
本発明の第３の態様は、第２の態様において、回転可能なハンドルと、該ハンドルの回転により前記移動部材を前記幅方向へ移動させるねじ機構と、を備えていることを特徴とする。  
本態様によれば、第２の態様と同様の作用効果に加え、ユーザーは、前記ハンドルを一の方向へ回すことにより、前記弾性体の付勢力を強めることができる。一方、前記ハンドルを前記一と逆方向へ回すことにより、前記弾性体の付勢力を弱めることができる。その結果、前記弾性体の付勢力の大きさを、ハンドルを有さない構成と比較して、容易に前記所定の大きさにすることができる。つまり、ユーザーは、比較的大きな力で前記ベース部を摺動させなくても、比較的小さな力で前記ハンドルを回すだけで、前記弾性体の付勢力の大きさを容易に前記所定の大きさにすることができる。
【００１１】
本発明の第４の態様は、第１から第３のいずれか一の態様において、前記ホルダー部が保持可能な高さにロール媒体を持ち上げることができる持ち上げ手段を有することを特徴とする。  
本態様によれば、第１から第３のいずれか一の態様と同様の作用効果に加え、前記持ち上げ手段を必要とする程の重量を有するロール媒体である場合、前記所定の大きさは比較的大きいので、係る場合に有効である。
【００１２】
本発明の第５の態様の記録装置は、ロール状のロール媒体を送り方向下流側へ繰り出し可能な繰り出し手段と、繰り出されたロール媒体に対して記録する記録部と、記録されたロール媒体を巻き取る巻き取り手段と、を備えた記録装置であって、前記繰り出し手段は、上記第１から第４のいずれか一の態様のロール媒体ホルダー装置を有していることを特徴とする。  
本態様によれば、前記繰り出し手段は、上記第１から第４のいずれか一の態様のロール媒体ホルダー装置を有している。従って、前記記録装置において、上記第１から第４のいずれか一の態様と同様の作用効果を得ることができる。
【図面の簡単な説明】
【００１３】
【図１】本実施例のプリンターの全体構成の概略を示す側断面図。
【図２】本実施例のプリンターの全体構成の概略を示す正面図。
【図３】本実施例の媒体繰り出し手段のロール媒体ホルダー装置を示す斜視図。
【図４】本実施例のロール媒体持ち上げ前のホルダー装置を示す正面一部断面図。
【図５】本実施例のロール媒体持ち上げた時のホルダー装置を示す正面一部断面図。
【図６】本実施例のホルダー装置を摺動させた際の状態を示す正面一部断面図。
【図７】本実施例のホルダー装置のハンドルを回した際の状態を示す正面一部断面図。
【発明を実施するための形態】
【００１４】
以下、本発明の実施の形態を図面に基づいて説明する。  
図１に示すのは、本実施例の記録装置としての大型のインクジェットプリンター１（以下、単にプリンターという。）の全体構成の概略を示す側断面図である。  
図１に示す如く、プリンター１は、媒体繰り出し手段２６と、記録部２８と、巻き取り手段３７と、を備えている。このうち、媒体繰り出し手段２６は、ロール状に巻かれたロール媒体Ｒを解いて送り方向Ｑへ送り出すことができる。具体的には、送り出し側ロールホルダーである第１ホルダー部３と、ローラー対２９と、を有している。
【００１５】
このうち、第１ホルダー部３は、ロール媒体Ｒの両端部を回動可能に保持することができる。第１ホルダー部３は、ロール媒体Ｒのロール芯１１の芯口１２に嵌る嵌合部１３を有している。嵌合部１３は、回動自在な構成でも、図示しないモーターの動力によって駆動する構成でもよい。回動自在な構成の場合は、送り方向下流側の駆動するローラー対２９によってロール媒体Ｒが引っ張られて解かれるからである。  
尚、第１ホルダー部３は、向い合わせで一対配設されている。そして、このうち少なくとも一方の第１ホルダー部３が、ロール媒体Ｒの幅寸法の違いに対応してガイド部材７に対して幅方向Ｘにスライドし取付け位置を調整できる。
【００１６】
また、第１ホルダー部３の下方には、仮置き部としての仮置き台５と、持ち上げ手段２とが設けられている。仮置き台５は、ロール媒体Ｒを第１ホルダー部３に取り付ける前に仮に置くための台である。一例として、幅方向Ｘに延設された二本の第１管部材７ａ、第２管部材７ｂによって構成されている。また、持ち上げ手段２は、仮置き台５に置かれた重たいロール媒体Ｒを容易に上方に持ち上げ、ロール媒体Ｒの端部を容易に第１ホルダー部３に取り付けることができる。
【００１７】
具体的に、持ち上げ手段２は、ガイド部材７としての二本の第１管部材７ａ、第２管部材７ｂに対して幅方向Ｘに摺動可能な基体部８と、操作レバー６と、昇降部１６と、を備えている。そして、操作レバー６を一方向へ回動させることにより、昇降部１６は上昇し、ロール媒体Ｒを持ち上げることができる。一方、操作レバー６を反対方向へ回動させることにより、昇降部１６は下降し、ロール媒体Ｒを下ろすことができる。つまり、操作レバー６のレバー比の大きさを利用して比較的小さい力で、比較的重いロール媒体Ｒを上げ下げすることができる。
【００１８】
また、記録部２８は、プリンター本体１９を有している。プリンター本体１９には、幅方向Ｘに延設されたキャリッジガイド軸２１と、キャリッジ２３と、記録ヘッド２５と、媒体支持部２７とが設けられている。キャリッジ２３は、キャリッジガイド軸２１にガイドされながら幅方向Ｘへ移動可能に設けられている。また、記録ヘッド２５は、キャリッジ２３における媒体支持部２７と対向する位置に設けられ、インクをロール媒体Ｒに対して吐出して記録することができる。またさらに、媒体支持部２７は、ロール媒体Ｒを支持し、ロール媒体Ｒと記録ヘッド２５との間の距離を所定の距離にすることができる。
【００１９】
尚、ローラー対２９は、プリンター本体１９の内部に設けたが、外部でもよい。ロール媒体Ｒを送り方向Ｑへ送ることができればよいからである。  
また、プリンター本体１９より送り方向上流側にはプレヒーター３１が設けられている。ロール媒体Ｒに対して記録を実行する前の段階で予めロール媒体Ｒを温めることにより、記録を実行した際、ロール媒体Ｒに着弾したインクが乾燥しやすくするためである。  
またさらに、プリンター本体１９より送り方向下流側にはアフターヒーター３３が設けられている。ロール媒体Ｒに着弾したインクを、記録を実行した後から巻き取り手段３７によって巻かれる前までの間に、確実に乾燥させるためである。
【００２０】
またさらに、巻き取り手段３７は、図示しないモーターの動力によってロール媒体Ｒを巻き取ることができる。具体的には、ガイド部材３９としての二本の第３管部材３９ａ、第４管部材３９ｂに取り付けられた巻き取り側ロールホルダーとしての第２ホルダー部４０を有している。そして、第２ホルダー部４０に巻き取ったロール媒体Ｒを保持することができる。
【００２１】
尚、プリンター１は、下端部に移動用のキャスター１５を有する側面視逆Ｔ字形の支持フレーム１７を対向するように左右両端部に備えている。そして、支持フレーム１７の上部にプリンター本体１９が設けられている。また、支持フレーム１７に取り付けられたサブフレーム３５に、仮置き台５が取り付けられている。またさらに、第３管部材３９ａ、第４管部材３９ｂの両端は、支持フレーム１７から延びた保持部２４によって保持されている。  
また、図中のＺ軸方向は、鉛直方向である。
【００２２】
図２に示すのは、本実施例のプリンター１の全体構成の概略を示す正面図である。  
図２に示す如く、プリンター１の支持フレーム１７を基準とした前側には、第１ホルダー部３が設けられ、後側には、第２ホルダー部４０が設けられている。第１ホルダー部３は、前述したように、サブフレーム３５によって両端が保持されたガイド部材７としての第１管部材７ａ、第２管部材７ｂに対して、スライド可能に設けられている。同様に、第２ホルダー部４０は、保持部２４によって両端が保持されたガイド部材３９としての第３管部材３９ａ、第４管部材３９ｂに対して、スライド可能に設けられている。
【００２３】
ここで、第２ホルダー部４０の第３管部材３９ａ、第４管部材３９ｂに対する固定の仕方は、第１ホルダー部３の第１管部材７ａ、第２管部材７ｂに対する固定の仕方と同様である。以下、第１ホルダー部３を第１管部材７ａ、第２管部材７ｂに対して固定する構造について説明するものとし、第２ホルダー部４０を第３管部材３９ａ、第４管部材３９ｂに対して固定する構造についての説明は省略する。
【００２４】
図３に示すのは、本実施例の媒体繰り出し手段２６におけるロール媒体ホルダー装置５１を示す斜視図である。  
図３に示す如く、媒体繰り出し手段２６は、ロール媒体ホルダー装置５１を備えている。ロール媒体ホルダー装置５１は、ガイド部材７（ガイド部）として二本の第１管部材７ａ、第２管部材７ｂと、嵌合部１３を有した第１ホルダー部３とを備えている。
【００２５】
そして、つまみ付きのねじ（図示せず）のつまみ部３６を、ねじを緩める方向へ回転させることにより、第１ホルダー部３を第１管部材７ａ、第２管部材７ｂに対して摺動させることができる。具体的には、第１ホルダー部３の下方に設けられたベース部４が第１管部材７ａ、第２管部材７ｂに対して摺動する。一方、ねじを締める方向へ回転させることにより、第１ホルダー部３を第１管部材７ａ、第２管部材７ｂに対して固定することができる。従って、ロール媒体Ｒの幅サイズに応じて一対の第１ホルダー部３の位置を調整することができる。
【００２６】
尚、持ち上げ手段２は、一対の第１ホルダー部３の間において、第１管部材７ａ、第２管部材７ｂに対して摺動可能に設けられている。持ち上げ手段２については、第１管部材７ａ、第２管部材７ｂに対して摺動可能な状態と固定した状態とを切り替え可能に構成する必要はない。ロール媒体Ｒのサイズに応じてロール媒体Ｒの側端近傍の下方へ摺動させ、ロール媒体Ｒの側端を持ち上げることができればよいからである。
【００２７】
続いて、本実施例のロール媒体ホルダー装置５１について詳しく説明する。  
図４に示すのは、本実施例のロール媒体Ｒを持ち上げる前のロール媒体ホルダー装置５１を示す正面一部断面図である。尚、図４に示すのは、一対のうちの一方の第１ホルダー部３である。  
図４に示す如く、ロール媒体ホルダー装置５１の一対の第１ホルダー部３のうちの少なくとも一方は、弾性体の一例であるばね４２と、移動部材４４と、軸４７と、ハンドル４５と、ねじ機構４６とを有している。
【００２８】
このうち、ばね４２は、嵌合部１３を移動部材４４に対してロール媒体Ｒ側へ付勢する。ここで、嵌合部４２は、軸４７に対して幅方向Ｘへ摺動可能に設けられている。また、移動部材４４は、ベース部４に対して幅方向Ｘへ移動可能に構成されている。具体的に、移動部材４４は、軸４７に設けられた係合部４７ａと係合しており、軸４７がロール媒体Ｒ側へ移動するとき、一体となって移動することができる。またさらに、軸４７は、ベース部４に対して摺動可能にベース部４によって支持されている。また、ハンドル４５は、一例として、幅方向Ｘを軸として回転可能に設けられている。またさらに、ねじ機構４６は、ハンドル４５の回転によって軸４７を幅方向Ｘへ移動させることができる。
【００２９】
図４に示す状態は、ロール媒体Ｒを持ち上げる前の状態である。この状態から先ず、一対の第１ホルダー部３のうちの前記一方と反対側である他方の持ち上げ手段（２）によってロール媒体Ｒを持ち上げる（図示せず）。そして、前記他方の第１ホルダー部（３）をロール媒体Ｒ側へ摺動させて、ロール芯１１の芯口（１２）に前記他方の第１ホルダー部（３）の嵌合部（１３）をはめ込む（図示せず）。さらに、前述したようにつまみ部３６を回転させて第１管部材７ａ、第２管部材７ｂに対して前記他方の第１ホルダー部（３）を固定する（図示せず）。その後、後述するように、一対の第１ホルダー部３のうちの前記一方側の持ち上げ手段２によってロール媒体Ｒを持ち上げる。
【００３０】
図５に示すのは、本実施例のロール媒体Ｒを持ち上げた時のロール媒体ホルダー装置５１を示す正面一部断面図である。尚、図５に示すのは、一対のうちの一方の第１ホルダー部３である。  
図５に示す如く、前述したように、前記他端側の第１ホルダー部（３）の嵌合部（１３）をロール芯１１の芯口（１２）にはめ込んだ後、一対の第１ホルダー部３のうちの前記一方側の持ち上げ手段２によってロール媒体Ｒを持ち上げる。そして、前記一端側の第１ホルダー部３の嵌合部１３の高さと、ロール媒体Ｒの前記一端側のロール芯１１の芯口１２の高さとが同じとなるようにする。
【００３１】
図６に示すのは、本実施例のロール媒体ホルダー装置５１を摺動させた際の状態を示す正面一部断面図である。尚、図６に示すのは、一対のうちの一方の第１ホルダー部３である。  
図６に示す如く、前記一端側の第１ホルダー部３の嵌合部１３の高さと、ロール媒体Ｒの前記一端側のロール芯１１の芯口１２の高さとを同じにしたら、前記一端側の第１ホルダー部３をロール媒体Ｒ側へ摺動させる。そして、ロール芯１１の芯口１２に前記一方の第１ホルダー部３の嵌合部１３をはめ込む。ここで、ある程度、嵌合部１３を芯口１２にはめ込むことができたら、前述したようにつまみ部３６を回転させて第１管部材７ａ、第２管部材７ｂに対して前記一方の第１ホルダー部３を固定する。
【００３２】
図７に示すのは、本実施例のロール媒体ホルダー装置５１のハンドル４５を回した際の状態を示す正面一部断面図である。尚、図７に示すのは、一対のうちの一方の第１ホルダー部３である。  
図７に示す如く、ユーザーがハンドル４５を、ねじを締める方向へ回転させる。すると、ねじ機構４６によって軸４７がロール媒体Ｒ側へ押され、ベース部４に対して徐々に摺動する。
【００３３】
この際、軸４７の係合部４７ａが移動部材４４をロール媒体Ｒ側へベース部４に対して徐々に一体となって移動させる。従って、ばね４２における嵌合部１３と接触している箇所（ばね４２の一端４２ａ）と、移動部材４４と接触している箇所（ばね４２の他端４２ｂ）との距離が徐々に短くなる。これにより、嵌合部１３がロール媒体Ｒのロール芯１１の芯口１２に対して付勢される力Ｆの大きさが徐々に大きくなる。
【００３４】
そして、嵌合部１３がロール媒体Ｒのロール芯１１の芯口１２にぴったりとはめ込まれる。さらに、前記付勢される力Ｆの大きさが徐々に大きくなり、所定の大きさになったとき、嵌合部１３の一部である幅方向外側部分１３ａと、移動部材４４の一部である円盤部分４４ａとが、幅方向Ｘにおいて揃う。つまり、所定の大きさになったときの目印４３である。
【００３５】
これにより、ユーザーは、所定の大きさの力Ｆによってロール媒体Ｒのロール芯１１が一対の第１ホルダー部３によって保持されていることを確認することができる。  
尚、ロール媒体Ｒの両側のうちの一方で、所定の大きさの力Ｆが作用していれば、反作用によって、他方でも反対方向に所定の大きさの力Ｆが作用していることとなる。つまり、ばね４２は一対の第１ホルダー部３のうちの一方にあればよい。ばね４２が一対の第１ホルダー部３の両方にあってもよいのは勿論である。
【００３６】
そして、所定の大きさの力Ｆになったことを確認することができたら、ユーザーは、ハンドル４５の回転を止める。  
尚、ハンドル４５から手を離しても、ハンドル４５が付勢力の反力によって回転することがないようにねじ機構４６は構成されている。  
また、移動部材４４が嵌合部１３側に入り込み過ぎた場合、ユーザーはハンドル４５を、ねじが緩む方向へ回転させればよい。これにより、ばね４２における嵌合部１３と接触している箇所（ばね４２の一端４２ａ）と、移動部材４４と接触している箇所（ばね４２の他端４２ｂ）との距離が徐々に長くなり、嵌合部１３がロール媒体Ｒのロール芯１１の芯口１２に対して付勢される力Ｆの大きさが徐々に小さくなるからである。
【００３７】
以上説明したように、ロール媒体ホルダー装置５１は、前記所定の大きさでロール媒体Ｒを両側から圧力Ｆをかけて保持することができる。つまり、ユーザーは、目印４３として前記嵌合部１３の一部が、前記移動部材４４の一部と揃うことにより、前記付勢する力Ｆの大きさが前記所定の大きさか否かを容易に確認することができる。比較的重量が大きいロール媒体Ｒである場合、ロール媒体ホルダー装置５１がロール媒体Ｒをきちんと保持するためには、比較的大きな付勢力Ｆを必要とするので、有効である。  
また、ユーザーは、比較的大きな力でベース部４を摺動させなくても、比較的小さな力でハンドル４５を回すだけで、ばね４２の付勢力Ｆの大きさを容易に前記所定の大きさにすることができる。
【００３８】
尚、ロール媒体Ｒを第１ホルダー部３から取り外す際は、ハンドル４５をねじが緩む方向へ回転させてから、第１ホルダー部３を幅方向外側へ摺動させ、嵌合部１３をロール芯１１の芯口１２から引き抜いてもよい。また、第１ホルダー部３を幅方向外側へ摺動させ、嵌合部１３をロール芯１１の芯口１２から引き抜いてから、ハンドル４５をねじが緩む方向へ回転させてもよい。  
また、上記実施例では、弾性体の一例としてばね４２を用いたが、ばね４２以外でもよい。例えば、弾性変形するゴムを用いることも可能である。
【００３９】
またさらに、上記実施例では、ばね４２が付勢する力Ｆの大きさが所定の大きさになったとき、嵌合部１３の一部である幅方向外側部分１３ａと、移動部材４４の一部である円盤部分４４ａとが、幅方向Ｘにおいて揃う構成としたが、これに限らない。技術的思想としては、ばね４２（弾性体）の前記一端４２ａと他端４２ｂとの位置関係（両者の間の距離）が変わることにより、前記付勢する力Ｆの大きさが所定の大きさになったことを示す構成であればよい。
【００４０】
また、上記実施例では、ハンドル４５と、ねじ機構４６とを有する構成について説明したが、有しない構成でもよい。技術的思想としては、前記一方の第１ホルダー部３をロール媒体Ｒ側へ摺動させたとき（図６参照）に、目印４３として嵌合部１３の一部である幅方向外側部分１３ａと、移動部材４４の一部である円盤部分４４ａとが、幅方向Ｘにおいて揃うように使用してもよい。つまり、ハンドル４５と、ねじ機構４６とを必ずしも使用しなくてもよく、前記付勢する力Ｆの大きさが所定の大きさになったことを示す目印４３を有していればよい。
【００４１】
また、上記実施例では、比較的小さな力で移動部材４４を移動させる機構としてねじ機構４６を用いたが、技術的思想としては、レバー比やギア比の大きさによって比較的小さな力で移動部材４４を移動させてばね４２を圧縮させることができればよい。従って、ねじ機構４６に代えてレバー機構やカム機構等を用いてもよい。本実施例でねじ機構４６を用いた理由は、レバー機構やカム機構等と比較して、コンパクトな機構で動力を変換することができ現実的であるからである。また、ユーザーがハンドルから手を離しても移動部材４４の位置を保持することができるからである。
【００４２】
本実施例のロール媒体ホルダー装置５１は、ロール媒体Ｒの幅方向Ｘに延設されたガイド部としてのガイド部材７と、ガイド部材７に案内されて幅方向Ｘへ摺動可能であり、ロール媒体Ｒを繰り出し可能に保持するホルダー部である第１ホルダー部３と、を備え、第１ホルダー部３は、ガイド部材７に対して摺動可能なベース部４と、ベース部４に対して幅方向Ｘへ移動可能でありロール媒体Ｒのロール芯１１の芯口１２に嵌る嵌合部１３と、一端４２ａ側が嵌合部１３と接触し、幅方向Ｘにおけるロール媒体Ｒ側へ嵌合部１３をベース部４に対して付勢する弾性体の一例であるばね４２と、を備えており、ばね４２の前記一端４２ａと他端４２ｂとの位置関係が変わることにより、嵌合部１３をロール媒体Ｒ側へ付勢する力Ｆの大きさが変わる構成であり、ばね４２の前記一端４２ａと他端４２ｂとの位置関係が変わることにより、前記付勢する力Ｆの大きさが所定の大きさになったことを示す目印４３があることを特徴とする。
【００４３】
また、本実施例のロール媒体ホルダー装置５１は、ロール媒体Ｒの幅方向Ｘに延設されたガイド部材７と、ガイド部材７に案内されて幅方向Ｘへ摺動可能であり、ロール媒体Ｒを繰り出し可能に保持する第１ホルダー部３と、を備え、第１ホルダー部３は、ガイド部材７に対して摺動可能なベース部４と、ベース部４に対して幅方向Ｘへ移動可能でありロール媒体Ｒのロール芯１１の芯口１２に嵌る嵌合部１３と、一端４２ａ側が嵌合部１３と接触し、幅方向Ｘにおけるロール媒体Ｒ側へ嵌合部１３を付勢するばね４２と、ばね４２の他端４２ｂ側と接触し、ベース部４に対して幅方向Ｘへ移動可能な移動部材４４と、を備えており、ばね４２の前記一端４２ａと他端４２ｂとの位置関係が変わることにより、嵌合部１３をロール媒体Ｒ側へ付勢する力Ｆの大きさが変わる構成であり、嵌合部１３と移動部材４４との幅方向Ｘにおける位置関係が変わることにより、前記付勢する力Ｆの大きさが所定の大きさになった際、嵌合部１３の一部である幅方向外側部分１３ａが、移動部材４４の一部である円盤部分４４ａと揃うことを特徴とする。
【００４４】
また、本実施例において、回転可能なハンドル４５と、ハンドル４５の回転により移動部材４４を幅方向Ｘへ移動させるねじ機構４６と、を備えていることを特徴とする。  
またさらに、本実施例において、第１ホルダー部３が保持可能な高さにロール媒体Ｒを持ち上げることができる持ち上げ手段２を有することを特徴とする。
【００４５】
本実施例の記録装置としてのプリンター１は、ロール状のロール媒体Ｒを送り方向下流側へ繰り出し可能な繰り出し手段である媒体繰り出し手段２６と、繰り出されたロール媒体Ｒに対して記録する記録部２８と、記録されたロール媒体Ｒを巻き取る巻き取り手段３７と、を備えたプリンター１であって、媒体繰り出し手段２６は、ロール媒体ホルダー装置５１を有していることを特徴とする。
【００４６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４７】
１  プリンター、２  持ち上げ手段、３  第１ホルダー部、４  ベース部、
５  仮置き台、６  操作レバー、７  ガイド部材、７ａ  第１管部材、
７ｂ  第２管部材、８  基体部、１１  ロール芯、１２  芯口、１３  嵌合部、
１３ａ  幅方向外側部分、１５  キャスター、１６  昇降部、１７  支持フレーム、
１９  プリンター本体、２１  キャリッジガイド軸、２３  キャリッジ、２４  保持部、
２５  記録ヘッド、２６  媒体繰り出し手段、２７  媒体支持部、２８  記録部、
２９  ローラー対、３１  プレヒーター、３３  アフターヒーター、
３５  サブフレーム、３６  つまみ部、３７  巻き取り手段、３９  ガイド部材、
３９ａ  第３管部材、３９ｂ  第４管部材、４０  第２ホルダー部、
４２  ばね（弾性体）、４２ａ  一端、４２ｂ  他端、４３  目印、４４  移動部材、
４４ａ  円盤部分、４５  ハンドル、４６  ねじ機構、４７  軸、４７ａ  係合部、
５１  ロール媒体ホルダー装置、Ｆ  力、Ｑ  送り方向、Ｒ  ロール媒体、Ｘ  幅方向、
Ｚ  鉛直方向
【図１】
0005796706.tif 000002
【図２】
0005796706.tif 000003
【図３】
0005796706.tif 000004
【図４】
0005796706.tif 000005
【図５】
0005796706.tif 000006
【図６】
0005796706.tif 000007
【図７】
0005796706.tif 000008